(57)【要約】【課題】発熱体の所定の温度に達するまでの立ち上がり時間の短縮化を図るとともに発熱体全体の温度分布の均一化を図ることのできる加熱装置を提供することを目的とする。【解決手段】加熱装置は、磁性と導電性とを有する発熱体と、前記発熱体の内部に配設され電磁誘導によって当該発熱体を発熱させる励磁コイル３００とを有する。励磁コイル３００は、磁性体の磁芯２１１と、磁芯２１１の両端部に形成された磁性体のツバ部２１３と、磁芯２１１に巻回されたコイル２１２と、を有する複数のコイル手段２００手段を備えている。複数のコイル手段２００は、隣同士のコイル手段２００の磁界の方向が互いに逆向きになるように形成されている。【選択図】図３
2006059545.tif 000002
【特許請求の範囲】
【請求項１】
磁性と導電性とを有する発熱体と、
前記発熱体の内部に配設され電磁誘導によって当該発熱体を発熱させる励磁コイルと、
を有し、
前記励磁コイルは、
磁性体の磁芯と該磁芯に巻回されたコイルとを有する複数のコイル手段を備え、
前記複数のコイル手段は、
隣同士のコイル手段の磁界の方向が互いに逆向きになるように形成されている
ことを特徴とする加熱装置。
【請求項２】
前記複数のコイル手段は、
前記隣同士のコイル手段のコイルの巻回方向が互いに反対方向になるように形成されていることを特徴とする請求項１記載の加熱装置。
【請求項３】
前記複数のコイル手段は、前記磁芯の両端部に磁性体のツバ部が形成されていることを特徴とする請求項１記載の加熱装置。
【請求項４】
前記複数のコイル手段は、
前記磁芯と該磁芯の両端部に形成された磁性体のツバ部とを備えたボビンと、
前記磁芯に巻回されたコイルと、
を有することを特徴とする請求項１記載の加熱装置。
【請求項５】
前記複数のコイル手段の磁芯に形成されているツバ部は、
前記発熱体の長手方向に対し傾斜して形成されていることを特徴とする請求項３または４記載の加熱装置。
【請求項６】
前記複数のコイル手段は、
奇数個のコイル手段で構成されていることを特徴とする請求項１〜５の何れか一項に記載の加熱装置。
【請求項７】
前記奇数のコイル手段は、前記発熱体の長手方向に沿って一列にかつコイル手段の磁芯の端部が互いに対向するように配設されているとともに、
前記奇数のコイル手段のうち、最初のコイル手段における他のコイル手段と対向していない端部と最後のコイル手段における他のコイル手段と対向していない端部とが、磁性体で磁気結合されていることを特徴とする請求項６記載の加熱装置。
【請求項８】
前記複数のコイル手段の磁芯に巻回されているコイルは、
巻数値の異なる少なくとも２種類の巻数を有して形成されていることを特徴とする請求項１〜７の何れか一項に記載の加熱装置。
【請求項９】
記録媒体に形成された未定着画像を加熱する加熱手段としての請求項１〜８の何れか一項に記載の加熱装置と、
前記未定着画像を前記記録媒体に定着させる定着ローラと、
前記定着ローラと前記加熱装置の発熱体とに張架された発熱ベルトと、
前記発熱ベルトの内面の発熱温度を検出する温度検出手段と、
前記定着ローラと圧接され定着ニップ部を形成する加圧部材と、
を有することを特徴とする定着装置。
【請求項１０】
記録媒体の表面に未定着画像を形成し該未定着画像を加熱定着するとともに、定着された
画像が形成されている記録媒体を出力する画像形成装置であって、
前記記録媒体上に形成されている未定着画像を加熱定着する加熱手段としての請求項９記載の定着装置を有することを特徴とする画像形成装置。
【発明の詳細な説明】
【技術分野】
【０００１】
本発明は、記録媒体上に形成された未定着画像を加熱する電磁誘導加熱方式の加熱装置、この加熱装置を有する定着装置、およびこの定着装置を有する画像形成装置に関するものである。
【背景技術】
【０００２】
一般に、プリンタ、複写機などの画像形成装置に用いられる定着装置としては、省エネルギー化および高速化のため、ハロゲンランプ等に変わる加熱源として電磁誘導加熱方式の加熱装置が広く採用されるようになってきている。
【０００３】
この電磁誘導加熱方式の加熱装置では、発熱体に磁場生成手段によって生成した磁場を作用させるとともに、この磁場の作用による渦電流により前記発熱体をジュール発熱させる。このような加熱装置は、例えば、画像形成手段によって転写紙やＯＨＰシートなどの記録媒体上に形成された未定着画像を加熱する画像形成装置の定着装置として用いることができる。
【０００４】
図８は、従来の定着装置の構成を示す図である。
【０００５】
上述した磁場生成手段は、導線を発熱体に沿って所要の形状に巻回した励磁コイルに、高周波電流を流して発熱体を加熱する構成になっている。
【０００６】
発熱体を加熱する励磁コイルは、発熱体の内部に配設するようにしたもの、例えば（特許文献１）、発熱体の外側に対向して配設するようにしたもの、例えば（特許文献２）、などが提案されている。
【０００７】
また、図８に示すように、加圧ローラ１と対向して配設される回転体（発熱体）２に沿って励磁コイル３を配設するようにしたものもある。
【特許文献１】特開平９−２６７１９号公報（図１）
【特許文献２】特開２００１−１８８４３０号公報
【発明の開示】
【発明が解決しようとする課題】
【０００８】
ところで、上述した励磁コイルを発熱体の内部に配設する方法、例えば（特許文献１）、および励磁コイルを発熱体の外側に配設する方法、例えば（特許文献２）においては、発熱体を短時間で加熱するには、同じ励磁コイルを使用するものとした場合、その励磁コイルに大電流を流すことで実現することが可能である。すなわち、励磁コイルに大電流が流れることで発熱体上の渦電流の発生量が増加し、これに伴って発熱量が増加するので過熱時間の短縮が可能である。
【０００９】
しかしながら、家庭用機器およびオフィス用機器（例えば画像形成装置）に使用可能な電源つまり電源コンセントから投入できる電力の上限は法律の規制があるため、電磁誘導加熱のために使用する励磁コイルに投入できる電力量も制限を受けることになる。そのため、励磁コイルへの充分な電力の投入は制限を受けることになり、発熱体の所定の温度までの立ち上がり時間を十分に短縮することができなかった。
【００１０】
すなわち、上述した励磁コイルを発熱体の内部に配設する方法、例えば（特許文献１）、上述した励磁コイルを発熱体の外側に配設する方法、例えば（特許文献２）では、励磁
コイルへの充分な電力の投入が制限を受けるので、発熱体の所定の温度までの立ち上がり時間を十分に短縮することができないという問題点があった。
【００１１】
また、上述した図８に示す従来の技術の如く回転体に沿ってコイルを配設するものでは、コイルと回転体である発熱体との絶縁距離の確保が必要であり、そのため、コイルを回転体に近づけて磁気抵抗を小さくするにも限界があった。
【００１２】
そこで、本発明は、発熱体の所定の温度に達するまでの立ち上がり時間の短縮化を図るとともに発熱体全体の温度分布の均一化を図ることのできる加熱装置を提供することを目的とする。
【００１３】
また、本発明は、発熱体の所定の温度に達するまでの立ち上がり時間の短縮化を図るとともに発熱体全体の温度分布の均一化を図ることのできる加熱装置を有する定着装置およびその定着装置を有する画像形成装置を提供することを目的とする。
【課題を解決するための手段】
【００１４】
この課題を解決するために、本発明の加熱装置は、磁性と導電性とを有する発熱体と、前記発熱体の内部に配設され電磁誘導によって当該発熱体を発熱させる励磁コイルとを有し、前記励磁コイルは、磁性体の磁芯と該磁芯に巻回されたコイルとを有する複数のコイル手段を備え、前記複数のコイル手段は、隣同士のコイル手段の磁界の方向が互いに逆向きになるように形成されている構成としたものである。
【００１５】
本発明の好ましい形態において、前記複数のコイル手段は、前記隣同士のコイル手段のコイルの巻回方向が互いに反対方向になるように形成されている。
【００１６】
本発明のさらに好ましい形態において、前記複数のコイル手段は、前記磁芯の両端部に磁性体のツバ部が形成されている。
【００１７】
本発明のさらに好ましい形態において、前記複数のコイル手段は、前記磁芯と該磁芯の両端部に形成された磁性体のツバ部とを備えたボビンと、前記磁芯に巻回されたコイルとを有する。
【００１８】
本発明のさらに好ましい形態において、前記複数のコイル手段の磁芯に形成されているツバ部は、前記発熱体の長手方向に対し傾斜して形成されている。
【００１９】
本発明のさらに好ましい形態において、前記複数のコイル手段は、奇数個のコイル手段で構成されている。
【００２０】
本発明のさらに好ましい形態において、前記奇数のコイル手段は、前記発熱体の長手方向に沿って一列にかつコイル手段の磁芯の端部が互いに対向するように配設されているとともに、前記奇数のコイル手段のうち、最初のコイル手段における他のコイル手段と対向していない端部と最後のコイル手段における他のコイル手段と対向していない端部とが、磁性体で磁気結合されている。
【００２１】
本発明のさらに好ましい形態において、前記複数のコイル手段の磁芯に巻回されているコイルは、巻数値の異なる少なくとも２種類の巻数を有して形成されている。
【００２２】
また、この課題を解決するために、本発明の定着装置は、記録媒体に形成された未定着画像を加熱する加熱手段としての前述したいずれか記載の加熱装置と、前記未定着画像を前記記録媒体に定着させる定着ローラと、前記定着ローラと前記加熱装置の発熱体とに張
架された発熱ベルトと、前記発熱ベルトの内面の発熱温度を検出する温度検出手段と、前記定着ローラと圧接され定着ニップ部を形成する加圧部材とを有する構成としたものである。
【００２３】
さらに、この課題を解決するために、本発明の画像形成装置は、記録媒体の表面に未定着画像を形成し該未定着画像を加熱定着するとともに、定着された画像が形成されている記録媒体を出力する画像形成装置であって、前記記録媒体上に形成されている未定着画像を加熱定着する加熱手段としての定着装置を有する構成としたものである。
【発明の効果】
【００２４】
本発明によれば、励磁コイルの隣同士のコイル手段から発生する磁界は互いに逆向きの方向に発生するので、隣同士のコイル手段の間で磁界が吹き出し、この吹き出した磁界が対向する発熱体へ有効に働き、さらに、各々のコイル手段に対応して磁路長の短い磁路が形成されるので、励磁コイルの磁気抵抗を小さくすることができ、しかも当該励磁コイルへ投入すべき電力量を確保することができ、発熱体の所定の温度に達するまでの立ち上がり時間の短縮化を図るとともに発熱体全体の温度分布の均一化を図ることができるという有効な効果が得られる。
【００２５】
また、本発明によれば、発熱体の所定の温度に達するまでの立ち上がり時間の短縮化を図るとともに発熱体全体の温度分布の均一化を図ることができる定着装置を提供することができるという有効な効果が得られる。
【００２６】
さらに、本発明によれば、発熱体の所定の温度に達するまでの立ち上がり時間の短縮化を図るとともに発熱体全体の温度分布の均一化を図ることができる画像形成装置を提供することができるという有効な効果が得られる。
【発明を実施するための最良の形態】
【００２７】
本発明は、磁性と導電性とを有する発熱体と、発熱体の内部に配設され電磁誘導によって当該発熱体を発熱させる励磁コイルとを有し、励磁コイルは、磁性体の磁芯と該磁芯に巻回されたコイルとを有する複数のコイル手段を備え、複数のコイル手段は、隣同士のコイル手段の磁界の方向が互いに逆向きになるように形成されている加熱装置であり、励磁コイルの隣同士のコイル手段から発生する磁界は互いに逆向きの方向に発生するので、隣同士のコイル手段の間で磁界が吹き出し、この吹き出した磁界が対向する発熱体へ有効に働き、さらに、各々のコイル手段に対応して磁路長の短い磁路が形成されるので、励磁コイルの磁気抵抗を小さくすることができ、しかも当該励磁コイルへ投入すべき電力量を確保することができ、発熱体の所定の温度に達するまでの立ち上がり時間の短縮化を図るとともに発熱体全体の温度分布の均一化を図ることができるという作用を有する。
【００２８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２９】
（実施の形態１）
図１は本発明の実施の形態１における画像形成装置の構成を示す構成図、図２は本発明の実施の形態１における定着装置を説明する図、図３は図２に示した定着装置に配設される励磁コイルの一例の外観を示す図、図４は図３に示した励磁コイルの断面を示す図、図５は励磁コイルの他の例の外観を示す図、図６は励磁コイルの他の例の外観を示す図、図７は励磁コイルの他の例の断面を示す図である。
【００３０】
図１において、電子写真感光体（以下、「感光ドラムという」。）１１は、矢印Ａの方向に所定の周速度で回転駆動されながら、その表面が帯電器１２によってマイナスの暗電位Ｖ０に一様に帯電される。
【００３１】
ビームスキャナ１３は、図示しない画像読取装置やコンピュータ等のホスト装置から入力される画像装置の時系列的電気デジタル画素信号に対応して変調されたレーザビーム１４を出力する。
【００３２】
帯電された感光ドラム１１の表面は、レーザビーム１４によって走査露光される。これにより、感光ドラム１１の露光部分は電位絶対値が低下して明電位ＶＬとなり静電潜像が形成される。この潜像は現像器１５から供給されるマイナスに帯電したトナーによって現像され顕像化される。
【００３３】
現像器１５は、回転駆動される現像ローラ１６を備えている。現像ローラ１６は感光ドラム１１と対向して配置されており、その外周面にはトナーの薄層が形成される。現像ローラ１６には、その絶対値が感光ドラム１１の暗電位Ｖ０よりも小さく、明電位ＶＬよりも大きい現像バイアスが印加されている。これにより現像ローラ１６上のトナーが感光ドラム１１の明電位ＶＬにのみ転写されて、潜像が顕像化される。
【００３４】
一方、給紙部１７からは記録材２０５が一枚ずつ給送され、レジストローラ対１８を経て、感光ドラム１１と転写ローラ１９のニップ部へ、感光ドラム１１の回転と同期した適切なタイミングで送られる。そして、感光ドラム１１上のトナー像は、転写バイアスが印加されている転写ローラ１９により記録材（記録媒体）２０５に順次転写される。記録材２０５が分離されたあとの感光ドラム１１は、その表面の転写残りトナー等の残留物がクリーニング装置２０によって除去され、繰り返し次の画像形成に供される。
【００３５】
転写後の記録材２０５は、定着ガイド２１によって定着装置２２へ案内される。記録材２０５は、感光ドラム１１から分離された後に定着装置２２へ搬送され、この定着装置２２によって記録材２０５上に転写されたトナー像が定着される。このようにしてトナー像が定着され定着装置２２を通過した記録材２０５は、排紙ガイド２３によって排紙トレイ２４へ案内される。
【００３６】
ここで、定着ガイド２１および排紙ガイド２３は、ＡＢＳなどの樹脂によって構成されている。なお、定着ガイド２１および排紙ガイド２３は、アルミニウムなどの非磁性体の金属によって構成することもできる。
【００３７】
装置本体の底板２５、装置本体の天板２６および本体シャーシ２７は一体となって装置全体の強度を担うものである。これらの部材は磁性材料である鋼を基材とし、亜鉛メッキを施した材料によって構成されている。
【００３８】
冷却ファン２８は装置内に気流を発生させる。コイルカバー２９は、アルミニウムなどの非磁性体の金属を含む遮蔽部材として使用されるものである。コイルカバー２９は、励磁コイル３００およびアーチコア１０６の背面を覆うように構成されている。
【００３９】
次に、上記定着装置２２について図２を参照して説明する。この定着装置２２は、電磁誘導加熱方式の定着装置であり、後述する誘導加熱手段１００の電磁誘導により加熱される加熱ローラ（第１の回転体）２１０と、加熱ローラ（加熱装置）２１０と平行に配設された定着ローラ２２０と、加熱ローラ２１０と定着ローラ２２０とに張架されて電磁誘導により加熱されるとともに定着ローラ２２０の回転により矢印Ｂの方向に回転する無端帯状の発熱ベルト（第２の回転体）２３０と、発熱ベルト２３０と接触してニップ部を形成
して定着ローラ２２０に圧接されるとともに発熱ベルト２３０に対して順方向に回転する加圧ローラ（加圧部材）２４０と、温度検出手段２５０とを備えている。
【００４０】
加熱ローラ（発熱体）２１０は、たとえばＦｅ、Ｎｉ、およびその合金類（ＳＵＳ等）の中空円筒状の強磁性金属部材からなり、外径がたとえば２０ｍｍ、肉厚がたとえば０．１ｍｍとされて、低熱容量で昇温の速い構成となっている。
【００４１】
定着ローラ２２０は、たとえばＳＵＳ等の金属製の芯金２２０ａと、耐熱性を有するシリコーンゴムをソリッド状または発泡状にして芯金２２０ａを被覆した弾性部材２２０ｂとを含んでいる。そして、加圧ローラ２４０からの押圧力でこの加圧ローラ２４０との間に所定幅の接触部を形成するために、定着ローラ２２０の外径を３０ｍｍ程度として加熱ローラ２１０の外径より大きくしており、また、弾性部材２２０ｂの肉厚を３〜８ｍｍ程度、硬度を１５〜５０°（Ａｓｋｅｒ Ｃ）程度としている。
【００４２】
このような構成により、加熱ローラ２１０の熱容量が定着ローラ２２０の熱容量より小さくなるので、加熱ローラ２１０が急速に加熱されてウォームアップ時間が短縮される。
【００４３】
加熱ローラ２１０と定着ローラ２２０との間に張架された発熱ベルト２３０は、加熱ローラ２１０の内側（内部）に配設された誘導加熱手段１００によって加熱されるとともに、加熱された加熱ローラ２１０との接触部位Ｌで熱伝導加熱される。そして、駆動手段（図示せず）による定着ローラ２２０の回転駆動に伴い発熱ベルト２３０が回転することにより発熱ベルト２３０の内面が連続的に加熱され、結果としてベルト全体に渡って加熱される。
【００４４】
発熱ベルト２３０は、基材がガラス転移点３６０（℃）のポリイミド樹脂中に銀粉を分散して導電層を形成した、直径５０ｍｍ、厚さ５０μｍの薄肉の無端状ベルトで構成されている。前記導電層は、厚さ１０μｍの銀層を２〜３積層した構成としてもよい。また、発熱ベルト２３０の表面には、離型性を付与するために、フッ素樹脂を含む厚さ５μｍの離型層（図示せず）を被覆してもよい。発熱ベルト２３０の基材のガラス転移点は、２００（℃）〜５００（℃）の範囲であることが望ましい。さらに、発熱ベルト２３０の表面の離型層としては、ＰＴＦＥ、ＰＦＡ、ＦＥＰ、シリコーンゴム、フッ素ゴム等の離型性の良好な樹脂やゴムを単独であるいは混合して用いてもよい。
【００４５】
なお、発熱ベルト２３０の基材の材料としては、上述のポリイミド樹脂の他、フッ素樹脂等の耐熱性を有する樹脂、電鋳によるニッケル薄板およびステンレス薄板等の金属を用いることもできる。例えば、発熱ベルト２３０は、厚さ４０μｍのＳＵＳ４３０（磁性）またはＳＵＳ３０４（非磁性）の表面に厚さ１０μｍの銅メッキを施した構成のもの、あるいは厚さ３０〜６０μｍのニッケル電鋳ベルトであってもよい。
【００４６】
また、発熱ベルト２３０は、モノクロ画像の加熱定着用の像加熱体として用いる場合には離型性のみを確保すればよいが、発熱ベルト２３０をカラー画像の加熱定着用の像加熱体として用いる場合にはゴム層を形成して弾性を付与することが望ましい。
【００４７】
加圧ローラ２４０は、たとえばＳＵＳまたはＡｌ等の熱伝導の高い金属製の円筒部材を含む芯金２４０ａと、この芯金２４０ａの表面に設けられた耐熱性およびトナー離型性の高い弾性部材２４０ｂとから構成されている。
【００４８】
このような加圧ローラ２４０は発熱ベルト２３０と接触し定着ローラ２２０を押圧して定着ニップ部Ｎを形成しているが、本実施の形態１では、定着ニップ部Ｎの出口部でトナーの剥離作用が大きくなるように、加圧ローラ２４０の外径は定着ローラ２２０と同じ３
０ｍｍ程度であるものの、肉厚は２〜５ｍｍ程度で定着ローラ２２０より薄く、また硬度は２０〜６０°（Ａｓｋｅｒ Ｃ）程度で定着ローラ２２０より硬く形成されている。
【００４９】
電磁誘導により加熱ローラ２１０を加熱する誘導加熱手段１００は、図２に示すように、加熱ローラ（発熱体）２１０の内部に配設された励磁コイル３００で構成されており、この励磁コイル３００は、複数のコイル手段２００を、加熱ローラ２１０の長手方向（回転軸方向）に沿って複数並べて配設したものである。
【００５０】
複数のコイル手段２００は、磁性体で形成された磁芯２１１と、磁芯２１１の外側に巻線された磁界発生手段であるコイル２１２と、磁芯２１１の両端に配設されその外径より大きいツバ状の磁性体（ツバ部）２１３と、を有している。磁芯２１１とツバ部２１３とでボビンを構成している。
【００５１】
温度検出手段２５０は、サーミスタなどの熱応答性の高い感温素子を含んでおり、発熱ベルト２３０の内面の温度を検知するために、上記定着ニップ部Ｎの入力側に配設されている。
【００５２】
次に、励磁コイル３００の詳細について図３を参照して説明する。
【００５３】
磁性体の磁芯２１１の材料は、鉄、珪素鋼、鉄−Ｎｉ合金、フェライト等の強磁性体を使用している。磁芯２１１の径はφ２〜φ１２ｍｍの範囲とし、磁芯２１１の長さは例えば５〜３０ｍｍの範囲で、励磁コイル３００（あるいは加熱ローラ２１０）の温度分布を調整しながら決定する。
【００５４】
なお、磁芯２１１の径は、その長手方向における中央部と外側とで異なるようにしても良い。また、加熱ローラ２１０の長手方向に沿って配設される複数の磁芯２１１（つまり複数のコイル手段２００）の任意の磁芯２１１の径を他の磁芯２１１の径と異なるようにしても良い。
【００５５】
コイル２１２は素線径φ０．０５〜φ０．２ｍｍの線を束ねたリッツ線束を使用する。素線径がφ０．０５ｍｍより小さい径では、コイルの直流抵抗成分が増加し、コイルロスが発生し、コイルの発熱が問題となる。また、素線径がφ０．２ｍｍより大きい線径では高周波の交流電流による電気抵抗が大きくなり、高周波駆動時の励磁コイルの発熱が過大となる。
【００５６】
磁性体を含むツバ部２１３は、加熱ローラ２１０の長手方向に対し傾斜、つまり磁芯２１１に対し垂直ではなく、傾斜して形成（角度αの角を有して形成）されている。
【００５７】
励磁コイル３００は、磁芯２１１に巻線されたコイル２１２を複数個組み合わせて、加熱ローラ２１０の回転軸方向（長手方向）における発熱ベルト２３０との接触する領域の長手方向と同じ長さに設定されている。つまり、励磁コイル３００は、加熱ローラ２１０の回転軸方向（長手方向）の長さに関し、少なくとも発熱ベルト２３０の幅と同じ長さに設定されている。
【００５８】
これによれば、誘導加熱手段１００としての励磁コイル３００によって電磁誘導加熱される加熱ローラ２１０の領域が最大となり、発熱している加熱ローラ２１０の表面と発熱ベルト２３０とが接する時間も最大となるので、伝熱効率が高くなる。
【００５９】
また、励磁コイル３００を構成する複数のコイル手段２００の個数は、奇数個が好ましく３〜３１個の範囲で使用する。また、複数（奇数個）のコイル手段２００は、隣同士の
コイル手段のコイルの巻回方向が互いに反対方向になるように形成（逆回転巻き）されているとともに、隣同士のコイル手段のコイルは連続的に形成されている。
【００６０】
このように複数のコイル手段２００を奇数個の配列にすることで、励磁コイル３００の長手方向の中心を基準に、その長手方向の左右の磁界形成を対称にすることができるので、加熱ローラ２１０の長手方向の中心を基準にしたときの左右で、温度分布の均一性を高めることができる。
【００６１】
なお、励磁コイル３００には駆動電源（指示せず）から１０ｋＨｚ〜１ＭＨｚの高周波交流電流、好ましくは２０ｋＨｚ〜８００ｋＨｚの高周波交流電流が給電される。
【００６２】
上述したような励磁コイル３００により発生する磁界の状態を、図４に示す。図４において、４１０は磁性体板を示す。４２０で示される矢印は、励磁コイル３００に電流を流したときに発生する磁界の概略の方向を示している。
【００６３】
図４に示すように、励磁コイル３００を構成する複数のコイル手段２００それぞれで磁路が形成されるので、各々のコイル手段２００の磁路長は短く形成されることになり、このため励磁コイル３００としての磁気抵抗を小さくすることができる。すなわち、励磁コイル３００に少ない電流を供給して、加熱ローラ２１０を発熱させることができる。
【００６４】
ツバ部２１３は磁芯２１１に対し垂直ではなく傾斜して形成されているので、複数のコイル手段２００それぞれの合わせ面部で磁束が集まり、この磁束に伴う渦電流の発生位置を加熱ローラ２１０の回転に伴い移動させることで、加熱ローラ２１０における発熱する（部位）位置を変化させて、ツバ部２１３を磁芯２１１に対し垂直に形成した場合の複数のコイルの合わせ面部の影響を無くすようにしている。
【００６５】
加熱ローラ２１０の長手方向の両端部での放熱等による温度低下をなくすために、当該長手方向の中央部の巻数より外側の巻数を増やすことで、加熱ローラ２１０の長手方向の全体に渡って温度分布の補正をすることができる。
【００６６】
このようにして加熱した加熱ローラ２１０を介して加熱された発熱ベルト２３０は、図２に示すように定着ニップ部Ｎの入口側に配設された温度検出手段２５０によって発熱ベルト２３０の内面の温度が検知される。
【００６７】
そのため、温度検出手段２５０が発熱ベルト２３０の表面を傷付けることがないので、発熱ベルト２３０の温度分布を均一に維持することができ、定着性能を継続的に確保することができる。発熱ベルト２３０の定着ニップ部Ｎに入る直前の温度を検知した温度検出手段２５０からの温度情報を基に出力される信号に基づき、誘導加熱手段１００への投入電力を制御することにより、発熱ベルト２３０が所定の温度たとえば１７０℃に安定して維持される。
【００６８】
定着装置２２の上流側に配設された画像形成部（図１の符号１１〜１６）において記録材（記録媒体）２０５上に形成された未定着トナー画像（未定着画像）２０６が定着ニップ部Ｎに導入されるときには、誘導加熱手段１００によって加熱された発熱ベルト２３０における表面温度と裏面温度との差が小さくなった状態になっている。そのため、発熱ベルト２３０のベルト表面温度が設定温度に対して過度に高くなる、いわゆるオーバーシュートを抑え、安定した温度制御を行うことが可能になる。
【００６９】
なお、本実施の形態１では、励磁コイル３００を構成する複数のコイル手段２００のボビンのツバ部２１３は、磁芯２１１に対し傾斜（角度αの角）を有する構成としたが、本
発明はこれに限定されることなく、励磁コイルは図５に示すような構成としても良い。
【００７０】
図５において、励磁コイル５００は、図３に示した励磁コイル３００の構成において、複数のコイル手段２００のツバ部２１３をツバ部５１０に代替した構成になっている。なお、図５において、図３に示した構成と同様の機能を果たす部分には同一の符号を付している。また図５では磁芯２１１は省略している。
【００７１】
この場合、励磁コイル５００は複数のコイル手段２００から構成されており、各々のコイル手段２００は、磁芯２１１と、コイル２１２と、ツバ部５１０とを有している。
【００７２】
ツバ部５１０は、ツバ部２１３とは、材質は同じであるものの、磁芯２１１に対して垂直に形成されている点で異なっている。このようにツバ部５１０を磁芯２１１に対して垂直に形成することができるので、ボビン（の磁芯２１１）へのコイル２１２の巻回が容易となり生産性のよい励磁コイル５００を提供することができる。
【００７３】
また、本実施の形態１では、励磁コイル３００を構成する複数のコイルで同一の大きさとして取り扱ったが、本発明はこれに限定されることなく、励磁コイルは図６に示すような構成としても良い。
【００７４】
図６において、励磁コイル６００は、図３に示した励磁コイル３００の構成において、複数のコイル手段２００を削除し、複数のコイル手段２００−１〜２００−７を追加した構成になっている。なお、図６において、図３に示した構成と同様の機能を果たす部分には同一の符号を付している。また図６では磁芯２１１は省略している。
【００７５】
この場合、励磁コイル６００は複数のコイル手段２００−１〜２００−７から構成されており、コイル手段２００−１，２００−２，２００−６，２００−７は、磁芯２１１と、コイル２１２と、ツバ部６１０とを有しており、コイル手段２００−３，２００−４，２００−５は、磁芯２１１と、コイル２１２と、ツバ部６２０とを有している。
【００７６】
ツバ部６１０およびツバ部６２０は、ツバ部２１３と同様の材質で形成されているものの、励磁コイル６００（複数のコイル手段）の端部側に配設されているコイル手段のツバ部６１０は、励磁コイル６００（複数のコイル手段）の中央部に配設されているコイル手段のツバ部６２０と比較して大きく形成されている。これにより、コイル手段２００−１，２００−２，２００−６，２００−７においては、ボビンのツバ部６１０によって、発熱により暖められた気体（空気）の対流が抑制されるので、加熱ローラ（発熱体）２１０の両端の温度の低下を補正することができる。
【００７７】
さらに、本実施の形態１では、励磁コイル３００を構成する複数のコイル手段２００においては磁芯２１１にコイル２１２を巻回する構成としたが、本発明はこれに限定されることなく、各々のコイル手段は図７に示すような構成としても良い。
【００７８】
図７において、コイル手段２００は、磁芯２１１と、コイル２１２と、ツバ部２１３と、プラスチック７１０とを有している。
【００７９】
プラスチック７１０は、絶縁性を有する材質で形成されたものであり、磁芯２１１の外側に配設される。そして、このプラスチック７１０にコイル２１２を巻線する構成とするようにしても良い。
【００８０】
以上説明したように、本実施の形態１によれば、励磁コイルと発熱体（加熱ローラ）間の磁気結合を増加させ、少ない電力で発熱体上の渦電流量を増加させ、発熱体の所定温度
に達するまでの立ち上がり時間を短縮するとともに発熱体全体の温度分布を均一化することができる。
【産業上の利用可能性】
【００８１】
本発明は、磁気抵抗を改善することで励磁コイルへの電力投入量を確保し、発熱体の所定の温度に達するまでの立ち上り時間を短縮するとともに発熱体の長手方向の温度分布を均一化することができる加熱装置を提供することができるので、電子写真方式あるいは静電記録方式の複写機、ファックスおよびプリンタ等の画像形成装置の定着装置として有用である。
【図面の簡単な説明】
【００８２】
【図１】本発明の実施の形態１における画像形成装置の構成を示す構成図
【図２】本発明の実施の形態１における定着装置を説明する図
【図３】図２に示した定着装置に配設される励磁コイルの一例の外観を示す図
【図４】図３に示した励磁コイルの断面を示す図
【図５】励磁コイルの他の例の外観を示す図
【図６】励磁コイルの他の例の外観を示す図
【図７】励磁コイルの他の例の断面を示す図
【図８】従来の定着装置の構成を示す図
【符号の説明】
【００８３】
１１    感光ドラム
１２    帯電器
１３    ビームスキャナ
１４    レーザビーム
１５    現像器
１６    現像ローラ
１７    給紙部
１８    レジストローラ対
１９    転写ローラ
２０    クリーニング装置
２１    定着ガイド
２２    定着装置
２３    排紙ガイド
２４    排紙トレイ
２５    装置本体の底板
２６    装置本体の天板
２７    本体シャーシ
２８    冷却ファン
２９    コイルカバー
１００    誘導加熱手段
１０６    アーチコア
２００，２００−１〜２００−７    コイル手段
２０５    記録材（記録媒体）
２０６    未定着トナー画像（未定着画像）
２１０    加熱ローラ（発熱体、加熱装置）
２１１    磁芯
２１２    コイル
２１３，５１０，６１０，６２０    ツバ部（磁性体）
２２０    定着ローラ
２２０ａ    芯金
２２０ｂ    弾性部材
２３０    発熱ベルト
２４０    加圧ローラ
２４０ａ    芯金
２４０ｂ    弾性部材
２５０    温度検出手段
３００，５００，６００    励磁コイル
【図１】
2006059545.tif 000003
【図２】
2006059545.tif 000004
【図３】
2006059545.tif 000005
【図４】
2006059545.tif 000006
【図５】
2006059545.tif 000007
【図６】
2006059545.tif 000008
【図７】
2006059545.tif 000009
【図８】
2006059545.tif 000010